(57)【要約】【課題】トランスの１次側のコイルと２次側のコイルとの間に発生するノイズ電流に起因する伝導ノイズの発生を抑制することができるスイッチング電源装置を提供する。【解決手段】交流電圧入力部と、フィルタと、第１インダクタと、スイッチング部と、第１整流素子と第２整流素子とを有し、第１整流素子と第２整流素子とが直列に接続され、第１整流素子と第２整流素子との間を接続する伝送路にフィルタを介して交流電圧入力部の第２出力端子が電気的に接続され、スイッチング部と並列に接続される第１整流部と、第１コンデンサと、インバータと、２次側のコイルと接続される入力端子を有する第２整流部と、第２整流部の出力端子間に接続される平滑部と、制御部と、第１整流素子と第２整流素子との間を接続する伝送路と、平滑部との間に接続される第２コンデンサと、第２０コンデンサと、を備えるスイッチング電源装置。【選択図】図１
2020054134.tif 000002
【特許請求の範囲】
【請求項１】
負荷に接続され、前記負荷に直流電圧を供給するスイッチング電源装置であって、
交流電圧が入力される交流電圧入力部と、
前記交流電圧入力部とフレームグラウンドとのそれぞれと接続され、前記交流電圧入力部から前記交流電圧が入力されるフィルタと、
前記フィルタを介して前記交流電圧入力部の第１出力端子と電気的に接続される第１インダクタと、
第１スイッチング素子と第２スイッチング素子とを有し、前記第１スイッチング素子と前記第２スイッチング素子とが直列に接続され、前記第１スイッチング素子と前記第２スイッチング素子との間を接続する伝送路に、前記第１インダクタが有する２つの端子のうち前記交流電圧入力部の第１出力端子と電気的に接続されていない方の端子が接続されるスイッチング部と、
第１整流素子と第２整流素子とを有し、前記第１整流素子と前記第２整流素子とが直列に接続され、前記第１整流素子と前記第２整流素子との間を接続する伝送路に前記フィルタを介して前記交流電圧入力部の第２出力端子が電気的に接続され、前記スイッチング部と並列に接続される第１整流部と、
前記第１整流部と並列に接続される第１コンデンサと、
１次側のコイルと、２次側のコイルとを備えたトランスを有し、前記第１コンデンサが入力端子間に接続されるインバータと、
前記２次側のコイルと接続される入力端子を有する第２整流部と、
前記第２整流部の出力端子間に接続される平滑部と、
前記第１スイッチング素子と、前記第２スイッチング素子と、前記インバータが有するスイッチング素子とのスイッチング制御を行う制御部と、
前記第１整流素子と前記第２整流素子との間を接続する伝送路と、前記平滑部との間に接続される第２コンデンサと、
前記平滑部と前記フレームグラウンドとの間に接続される第２０コンデンサと、
を備えるスイッチング電源装置。
【請求項２】
前記平滑部は、前記第２整流部の出力端子間に接続される第３コンデンサを備え、
前記第２コンデンサは、前記第１整流素子と前記第２整流素子との間を接続する伝送路と、前記第３コンデンサの両端のうちのいずれか一方の端子との間に接続される、
請求項１に記載のスイッチング電源装置。
【請求項３】
前記平滑部は、
前記第２整流部の出力端子間に接続される第４コンデンサと、
前記第４コンデンサが有する端子のうち前記第２整流部の第１出力端子と接続される端子に接続される第２インダクタと、
前記第２インダクタが有する端子のうち前記第４コンデンサと接続されない端子に接続される前記平滑部の第１出力端子と、
前記第４コンデンサが有する端子のうち前記第２整流部の第２出力端子と接続される端子に接続される前記平滑部の第２出力端子と、
前記平滑部の出力端子間に接続される第５コンデンサと、
を備え、
前記第２コンデンサは、前記第１整流素子と前記第２整流素子との間を接続する伝送路と、前記第４コンデンサの両端子と前記第５コンデンサの両端子との４つの端子のうちのいずれか１つの端子との間に接続される、
請求項１に記載のスイッチング電源装置。
【請求項４】
前記平滑部は、
前記第２整流部の出力端子間に接続される第４コンデンサと、
前記第４コンデンサが有する端子のうち前記第２整流部の第２出力端子と接続される端子に接続される第２インダクタと、
前記第４コンデンサが有する端子のうち前記第２整流部の第１出力端子と接続される端子に接続される前記平滑部の第１出力端子と、
前記第２インダクタが有する端子のうち前記第４コンデンサと接続されない端子に接続される前記平滑部の第２出力端子と、
前記平滑部の出力端子間に接続される第５コンデンサと、
を備え、
前記第２コンデンサは、前記第１整流素子と前記第２整流素子との間を接続する伝送路と、前記第４コンデンサの両端子と前記第５コンデンサの両端子との４つの端子のうちのいずれか１つの端子との間に接続される、
請求項１に記載のスイッチング電源装置。
【請求項５】
前記平滑部は、
前記第２整流部の第１出力端子に接続される第４インダクタと、
前記第４インダクタが有する端子のうち前記第２整流部の第１出力端子と接続されない端子と、前記第２整流部の第２出力端子との間に接続される第６コンデンサと、
前記第６コンデンサが有する端子のうち前記第４インダクタと接続される端子に接続される第３インダクタと、
前記第３インダクタが有する端子のうち前記第６コンデンサと接続されない端子に接続される前記平滑部の第１出力端子と、
前記第６コンデンサが有する端子のうち前記第２整流部の第２出力端子と接続される端子に接続される前記平滑部の第２出力端子と、
前記平滑部の出力端子間に接続される第７コンデンサと、
を備え、
前記第２コンデンサは、前記第１整流素子と前記第２整流素子との間を接続する伝送路と、前記第６コンデンサの両端子と前記第７コンデンサの両端子との４つの端子のうちのいずれか１つの端子との間に接続される、
請求項１に記載のスイッチング電源装置。
【請求項６】
前記平滑部は、
前記第２整流部の第２出力端子に接続される第４インダクタと、
前記第４インダクタが有する端子のうち前記第２整流部の第２出力端子と接続されない端子と、前記第２整流部の第１出力端子との間に接続される第６コンデンサと、
前記第６コンデンサが有する端子のうち前記第２整流部の第１出力端子に接続される端子に接続される第３インダクタと、
前記第３インダクタが有する端子のうち前記第６コンデンサと接続されない端子に接続される前記平滑部の第１出力端子と、
前記第６コンデンサが有する端子のうち前記第４インダクタと接続される端子に接続される前記平滑部の第２出力端子と、
前記平滑部の出力端子間に接続される第７コンデンサと、
を備え、
前記第２コンデンサは、前記第１整流素子と前記第２整流素子との間を接続する伝送路と、前記第６コンデンサの両端子と前記第７コンデンサの両端子との４つの端子のうちのいずれか１つの端子との間に接続される、
請求項１に記載のスイッチング電源装置。
【請求項７】
前記平滑部は、
前記第２整流部の第１出力端子に接続される第４インダクタと、
前記第４インダクタが有する端子のうち前記第２整流部の第１出力端子と接続されない端子と、前記第２整流部の第２出力端子との間に接続される第６コンデンサと、
前記第６コンデンサが有する端子のうち前記第２整流部の第２出力端子と接続される端子に接続される第３インダクタと、
前記第６コンデンサが有する端子のうち前記第４インダクタと接続される端子に接続される前記平滑部の第１出力端子と、
前記第３インダクタが有する端子のうち前記第６コンデンサと接続されない端子に接続される前記平滑部の第２出力端子と、
前記平滑部の出力端子間に接続される第７コンデンサと、
を備え、
前記第２コンデンサは、前記第１整流素子と前記第２整流素子との間を接続する伝送路と、前記第６コンデンサの両端子と前記第７コンデンサの両端子との４つの端子のうちのいずれか１つの端子との間に接続される、
請求項１に記載のスイッチング電源装置。
【請求項８】
前記平滑部は、
前記第２整流部の第２出力端子に接続される第４インダクタと、
前記第４インダクタが有する端子のうち前記第２整流部の第２出力端子と接続されない端子と、前記第２整流部の第１出力端子との間に接続される第６コンデンサと、
前記第６コンデンサが有する端子のうち前記第４インダクタと接続される端子に接続される第３インダクタと、
前記第６コンデンサが有する端子のうち前記第２整流部の第１出力端子と接続される端子に接続される前記平滑部の第１出力端子と、
前記第３インダクタが有する端子のうち前記第６コンデンサと接続されない端子に接続される前記平滑部の第２出力端子と、
前記平滑部の出力端子間に接続される第７コンデンサと、
を備え、
前記第２コンデンサは、前記第１整流素子と前記第２整流素子との間を接続する伝送路と、前記第６コンデンサの両端子と前記第７コンデンサの両端子との４つの端子のうちのいずれか１つの端子との間に接続される、
請求項１に記載のスイッチング電源装置。
【請求項９】
前記平滑部は、
前記第２整流部の出力端子間に接続される第８コンデンサと、
前記第８コンデンサが有する端子のうち前記第２整流部の第１出力端子と接続される端子に接続される第５インダクタと、
前記第８コンデンサが有する端子のうち前記第２整流部の第２出力端子と接続される端子に接続される第６インダクタと、
前記第５インダクタが有する端子のうち前記第８コンデンサと接続されない端子に接続される前記平滑部の第１出力端子と、
前記第６インダクタが有する端子のうち前記第８コンデンサと接続されない端子に接続される前記平滑部の第２出力端子と、
前記平滑部の出力端子間に接続される第９コンデンサと、
を備え、
前記第２コンデンサは、前記第１整流素子と前記第２整流素子との間を接続する伝送路と、前記第８コンデンサの両端子と前記第９コンデンサの両端子との４つの端子のうちのいずれか１つの端子との間に接続される、
請求項１に記載のスイッチング電源装置。
【請求項１０】
前記第１整流素子及び前記第２整流素子はスイッチング素子であり、
前記制御部は、前記第１スイッチング素子と、前記第２スイッチング素子と、前記インバータが有するスイッチング素子とのスイッチング制御を行うとともに、前記第１整流素子と前記第２整流素子とのスイッチング制御を行う、
請求項１から９のうちいずれか一項に記載のスイッチング電源装置。
【発明の詳細な説明】
【技術分野】
【０００１】
本発明は、スイッチング電源装置に関する。
【背景技術】
【０００２】
電源装置についての研究、開発が行われている。
【０００３】
これに関し、力率改善回路を備えた電源装置が知られている（特許文献１、２参照）。特に、特許文献１には、トーテムポール型のブリッジレス力率改善コンバータを備えた電源装置について記載されている。
【先行技術文献】
【特許文献】
【０００４】
【特許文献１】特開２０１２−０７０４９０号公報
【特許文献２】特開２００１−２１８４６７号公報
【発明の概要】
【発明が解決しようとする課題】
【０００５】
ここで、トーテムポール型のブリッジレス力率改善コンバータと、絶縁型のＤＣＤＣコンバータとを組み合わせたスイッチング電源装置は、当該ＤＣＤＣコンバータが有するトランスの１次側のコイルと当該トランスの２次側のコイルとの間に発生するノイズ電流に起因する伝導ノイズが発生する場合があった。
【０００６】
本発明は、このような事情を考慮してなされたもので、トランスの１次側のコイルと２次側のコイルとの間に発生するノイズ電流に起因する伝導ノイズの発生を抑制することができるスイッチング電源装置を提供することを課題とする。
【課題を解決するための手段】
【０００７】
本発明の一態様は、負荷に接続され、前記負荷に直流電圧を供給するスイッチング電源装置であって、交流電圧が入力される交流電圧入力部と、前記交流電圧入力部とフレームグラウンドとのそれぞれと接続され、前記交流電圧入力部から入力された前記交流電圧のノイズを減少させるフィルタと、前記フィルタを介して前記交流電圧入力部の第１出力端子と電気的に接続される第１インダクタと、第１スイッチング素子と第２スイッチング素子とを有し、前記第１スイッチング素子と前記第２スイッチング素子とが直列に接続され、前記第１スイッチング素子と前記第２スイッチング素子との間を接続する伝送路に、前記第１インダクタが有する２つの端子のうち前記交流電圧入力部の第１出力端子と電気的に接続されていない方の端子が接続されるスイッチング部と、第１整流素子と第２整流素子とを有し、前記第１整流素子と前記第２整流素子とが直列に接続され、前記第１整流素子と前記第２整流素子との間を接続する伝送路に前記フィルタを介して前記交流電圧入力部の第２出力端子が電気的に接続され、前記スイッチング部と並列に接続される第１整流部と、前記第１整流部と並列に接続される第１コンデンサと、１次側のコイルと、２次側のコイルとを備えたトランスを有し、前記第１コンデンサが入力端子間に接続されるインバータと、前記２次側のコイルと接続される入力端子を有する第２整流部と、前記第２整流部の出力端子間に接続される平滑部と、前記第１スイッチング素子と、前記第２スイッチング素子と、前記インバータが有するスイッチング素子とのスイッチング制御を行う制御部と、前記第１整流素子と前記第２整流素子との間を接続する伝送路と、前記平滑部との間に接続される第２コンデンサと、前記平滑部と前記フレームグラウンドとの間に接続される第２０コンデンサと、を備えるスイッチング電源装置である。
【発明の効果】
【０００８】
本発明によれば、トランスの１次側のコイルと２次側のコイルとの間に発生するノイズ電流による伝導ノイズの発生を抑制することができる。
【図面の簡単な説明】
【０００９】
【図１】実施形態に係るスイッチング電源装置１の構成の一例を示す図である。
【図２】スイッチング電源装置１の伝導ノイズを測定する場合におけるスイッチング電源装置１の構成の一例を示す図である。
【図３】伝送路ＥＬを備えていない場合と伝送路ＥＬを備えている場合とのそれぞれにおいてスイッチング電源装置１に発生する伝導ノイズの一例を示す図である。
【図４】実施形態の変形例１に係る平滑部１６Ａの回路構成の一例を示す図である。
【図５】実施形態の変形例２に係る平滑部１６Ｂの回路構成の一例を示す図である。
【図６】実施形態の変形例３に係る平滑部１６Ｃの回路構成の一例を示す図である。
【発明を実施するための形態】
【００１０】
＜実施形態＞
以下、本発明の実施形態について、図面を参照して説明する。ここで、本実施形態では、直流電力に応じた電気信号、又は交流電力に応じた電気信号を伝送する導体のことを、伝送路と称して説明する。伝送路は、例えば、基板上にプリントされた導体であってもよく、導体が線状に形成された導線であってもよく、他の導体であってもよい。
【００１１】
＜スイッチング電源装置の概要＞
まず、実施形態に係るスイッチング電源装置の概要について説明する。実施形態に係るスイッチング電源装置は、負荷に接続され、負荷に直流電圧を供給する。実施形態に係るスイッチング電源装置は、交流電圧入力部と、フィルタと、第１インダクタと、スイッチング部と、第１整流部と、第１コンデンサと、インバータと、第２整流部と、平滑部と、制御部と、第２コンデンサと、第２０コンデンサを備える。
【００１２】
交流電圧入力部は、交流電圧が入力される。フィルタは、交流電圧入力部とフレームグラウンドとのそれぞれと接続され、交流電圧入力部から入力された交流電圧のノイズを減少させる。
【００１３】
第１インダクタは、フィルタを介して交流電圧入力部の第１出力端子と電気的に接続される。スイッチング部は、第１スイッチング素子と第２スイッチング素子とを有する。また、スイッチング部では、第１スイッチング素子と第２スイッチング素子とが直列に接続される。また、スイッチング部では、第１スイッチング素子と第２スイッチング素子との間を接続する伝送路に、第１インダクタが有する２つの端子のうち当該第１出力端子と電気的に接続されていない方の端子が接続される。
【００１４】
第１整流部は、第１整流素子と第２整流素子とを有する。また、第１整流部では、第１整流素子と第２整流素子とが直列に接続される。また、第１整流部では、第１整流素子と第２整流素子との間を接続する伝送路にフィルタを介して交流電圧入力部の第２出力端子が電気的に接続される。また、第１整流部は、スイッチング部と並列に接続される。第１コンデンサは、第１整流部と並列に接続される。
【００１５】
インバータは、１次側のコイルと、２次側のコイルとを備えたトランスを有し、第１コンデンサが入力端子間に接続される。第２整流部は、２次側のコイルと接続される入力端子を有する。平滑部は、第２整流部の出力端子間に接続される。制御部は、第１スイッチング素子と、第２スイッチング素子と、インバータが有するスイッチング素子とのスイッチング制御を行う。
【００１６】
第２コンデンサは、第１整流素子と第２整流素子との間を接続する伝送路と、平滑部との間に接続される。第２０コンデンサは、平滑部とフレームグラウンドとの間に接続される。
【００１７】
これらにより、実施形態に係るスイッチング電源装置は、トランスの１次側のコイルと２次側のコイルとの間に発生するノイズ電流に起因する伝導ノイズの発生を抑制することができる。以下では、このようなスイッチング電源装置の回路構成について詳しく説明する。
【００１８】
＜スイッチング電源装置の回路構成＞
以下、図１を参照し、実施形態に係るスイッチング電源装置１の回路構成について説明する。図１は、実施形態に係るスイッチング電源装置１の構成の一例を示す図である。
【００１９】
スイッチング電源装置１は、前述のスイッチング電源装置の一例である。図１に示した例では、スイッチング電源装置１は、交流電源ＰＳと接続されている。また、スイッチング電源装置１は、負荷ＬＤと接続されている。スイッチング電源装置１は、交流電源ＰＳから入力された交流電圧を、直流電圧に変換する。そして、スイッチング電源装置１は、変換後の直流電圧を、負荷ＬＤに供給する。
【００２０】
ここで、交流電源ＰＳは、交流電圧を供給する電源である。交流電源ＰＳは、交流電圧を供給可能であれば、如何なる電源であってもよい。交流電源ＰＳは、第１端子ＰＳＯ１と、第２端子ＰＳＯ２との２つの端子を有する。
【００２１】
また、負荷ＬＤは、スイッチング電源装置１から供給される直流電圧に基づいて駆動する回路、装置等である。負荷ＬＤは、第１端子ＬＤＩ１と、第２端子ＬＤＩ２との２つの端子を有する。
【００２２】
スイッチング電源装置１は、交流電圧入力部１１と、フィルタ１８と、力率改善回路１３と、インバータ１４と、第２整流部１５と、平滑部１６と、制御部１７と、第１コンデンサＣ１と、第２コンデンサＣ２と、第２０コンデンサＣＦＧを備える。スイッチング電源装置１は、交流電源ＰＳ及び負荷ＬＤに接続されて使用される。なお、スイッチング電源装置１は、これらに加えて、他の回路素子、他の装置等のうちの一部又は全部を備える構成であってもよい。
【００２３】
交流電圧入力部１１は、交流電源ＰＳから交流電圧が入力される。交流電圧入力部１１は、交流電源ＰＳから入力された交流電圧を、交流電圧入力部１１よりも後段の回路に入力する。図１に示した例では、交流電圧入力部１１は、当該交流電圧をフィルタ１８に入力する。
【００２４】
また、交流電圧入力部１１は、第１入力端子１１Ｉ１と第２入力端子１１Ｉ２との２つの入力端子を有する。また、交流電圧入力部１１は、第１出力端子１１Ｏ１と第２出力端子１１Ｏ２との２つの出力端子を有する。なお、交流電圧入力部１１は、ＦＧ（Frame  Ground）端子を有する構成であってもよい。ここで、ＦＧ端子は、図１に示したフレームグラウンドＦＧに接地される端子のことである。図１に示した例では、フレームグラウンドＦＧは、スイッチング電源装置１の筐体である。なお、フレームグラウンドＦＧは、スイッチング電源装置１の筐体に代えて、他の筐体であってもよい。また、フレームグラウンドＦＧは、筐体に限らず、スイッチング電源装置１内に設けられたＦＧパターンであってもよい。
【００２５】
第１入力端子１１Ｉ１は、伝送路を介して、交流電源ＰＳの第１端子ＰＳＯ１と接続されている。これにより、第１入力端子１１Ｉ１には、第１端子ＰＳＯ１から交流電圧が入力される。なお、第１入力端子１１Ｉ１と第１端子ＰＳＯ１との間には、他の回路素子等が接続される構成であってもよい。
【００２６】
また、第２入力端子１１Ｉ２は、伝送路を介して、交流電源ＰＳの第２端子ＰＳＯ２と接続されている。これにより、第２入力端子１１Ｉ２には、第２端子ＰＳＯ２から交流電圧が入力される。なお、第２入力端子１１Ｉ２と第２端子ＰＳＯ２との間には、他の回路素子等が接続される構成であってもよい。
【００２７】
交流電圧入力部１１は、第１入力端子１１Ｉ１に入力された交流電圧を、第１出力端子１１Ｏ１から出力する。
【００２８】
また、交流電圧入力部１１は、第２入力端子１１Ｉ２に入力された交流電圧を、第２出力端子１１Ｏ２から出力する。
【００２９】
フィルタ１８は、ノイズフィルタである。フィルタ１８は、交流電圧入力部１１とフレームグラウンドＦＧとのそれぞれと接続される。また、フィルタ１８は、交流電圧入力部１１から交流電圧が入力される。そして、フィルタ１８は、スイッチング電源装置１において発生する伝導ノイズを交流電源ＰＳに伝送しないように抑制する。また、フィルタ１８は、交流電源ＰＳ側から伝送される外部からの伝導ノイズをスイッチング電源装置１内に伝送しないように抑制する。
【００３０】
より具体的には、フィルタ１８は、図１に示した例では、第１入力端子１８Ｉ１と第２入力端子１８Ｉ２との２つの入力端子を有する。また、フィルタ１８は、第１出力端子１８Ｏ１と第２出力端子１８Ｏ２との２つの出力端子を有する。
【００３１】
また、フィルタ１８は、図１に示した例では、コモンモードチョークコイル１８Ｌ１と、コンデンサ１８Ｘ１と、第１０コンデンサ１８Ｘ２と、第１１コンデンサ１８Ｙ１と、第１２コンデンサ１８Ｙ２を有する。なお、フィルタ１８は、これらの回路素子に加えて、他の回路素子を有する構成であってもよい。また、フィルタ１８は、コンデンサ１８Ｘ１を備えない構成であってもよい。また、フィルタ１８は、図１に示したような構成のノイズフィルタに代えて、他の構成のノイズフィルタであってもよい。
【００３２】
ここで、第１入力端子１８Ｉ１には、伝送路を介して、交流電圧入力部１１の第１出力端子１１Ｏ１が接続されている。また、第２入力端子１８Ｉ２には、伝送路を介して、交流電圧入力部１１の第２出力端子１１Ｏ２が接続されている。また、第１入力端子１８Ｉ１と第２入力端子１８Ｉ２との間には、伝送路を介して、コンデンサ１８Ｘ１が接続されている。なお、スイッチング電源装置１は、他の回路素子等が、第１出力端子１１Ｏ１と第１入力端子１８Ｉ１との間を接続する伝送路上に設けられる構成であってもよい。また、スイッチング電源装置１は、他の回路素子等が、第２出力端子１１Ｏ２と第２入力端子１８Ｉ２との間を接続する伝送路上に設けられる構成であってもよい。
【００３３】
コモンモードチョークコイル１８Ｌ１は、少なくとも２つのコイルを有する。図１に示した例では、コモンモードチョークコイル１８Ｌ１は、当該２つのコイルとして、コイル１８Ｃ１とコイル１８Ｃ２を有する。コンデンサ１８Ｘ１が有する端子のうち第１入力端子１８Ｉ１と接続されている端子には、伝送路を介して、コイル１８Ｃ１が接続されている。また、コンデンサ１８Ｘ１が有する端子のうち第２入力端子１８Ｉ２と接続されている端子には、伝送路を介して、コイル１８Ｃ２が接続されている。すなわち、コモンモードチョークコイル１８Ｌ１は、交流電圧入力部１１の第１出力端子１１Ｏ１と交流電圧入力部１１の第２出力端子１１Ｏ２との間に電気的に接続されている。
【００３４】
また、コイル１８Ｃ１が有する端子のうちコンデンサ１８Ｘ１に接続されていない端子と、コイル１８Ｃ２が有する端子のうちコンデンサ１８Ｘ１に接続されていない端子との間には、伝送路を介して、第１０コンデンサ１８Ｘ２が接続されている。すなわち、第１０コンデンサ１８Ｘ２は、コモンモードチョークコイル１８Ｌ１の出力端子間に接続されている。なお、当該出力端子間は、コイル１８Ｃ１が有する端子のうちコンデンサ１８Ｘ１に接続されていない端子と、コイル１８Ｃ２が有する端子のうちコンデンサ１８Ｘ１に接続されていない端子との間のことである。
【００３５】
また、第１０コンデンサ１８Ｘ２が有する端子のうちコイル１８Ｃ１と接続されている端子は、伝送路を介して、第１出力端子１８Ｏ１と接続されている。第１０コンデンサ１８Ｘ２が有する端子のうちコイル１８Ｃ１と接続されている端子と、第１出力端子１８Ｏ１とを接続する伝送路には、フレームグラウンドＦＧとの間に第１１コンデンサ１８Ｙ１が接続されている。また、第１０コンデンサ１８Ｘ２が有する端子のうちコイル１８Ｃ２と接続されている端子は、伝送路を介して、第２出力端子１８Ｏ２と接続されている。また、第１０コンデンサ１８Ｘ２が有する端子のうちコイル１８Ｃ２と接続されている端子と、第２出力端子１８Ｏ２とを接続する伝送路には、フレームグラウンドＦＧとの間に第１２コンデンサ１８Ｙ２が接続されている。ここで、図１に示した例では、第１１コンデンサ１８Ｙ１が有する端子のうちコイル１８Ｃ１と接続されていない端子と、第１２コンデンサ１８Ｙ２が有する端子のうちコイル１８Ｃ２と接続されていない端子とが伝送路を介して接続されており、当該伝送路とフレームグラウンドＦＧとが接続されている。しかしながら、第１１コンデンサ１８Ｙ１が有する端子のうちコイル１８Ｃ１と接続されていない端子と、第１２コンデンサ１８Ｙ２が有する端子のうちコイル１８Ｃ２と接続されていない端子とは、伝送路を介して接続されておらず、互いに独立に共通のフレームグラウンドＦＧと接続されている構成であってもよい。
【００３６】
力率改善回路１３は、トーテムポール型のブリッジレス力率改善コンバータである。力率改善回路１３は、例えば、第１インダクタ１３Ａと、スイッチング部１３Ｂと、第１整流部１３Ｃを備える。なお、力率改善回路１３の回路構成は、図１に示した回路構成に代えて、トーテムポール型のブリッジレス力率改善コンバータとして機能する他の回路構成であってもよい。
【００３７】
また、力率改善回路１３は、第１入力端子１３Ｉ１と第２入力端子１３Ｉ２との２つの入力端子を有する。また、力率改善回路１３は、第１出力端子１３Ｏ１と第２出力端子１３Ｏ２との２つの出力端子を有する。また、スイッチング部１３Ｂは、第１スイッチング素子Ｓ１と、第２スイッチング素子Ｓ２を備える。また、第１整流部１３Ｃは、第１整流素子ＲＣ１と、第２整流素子ＲＣ２を備える。
【００３８】
第１入力端子１３Ｉ１は、伝送路を介して、フィルタ１８の第１出力端子１８Ｏ１と接続されている。これにより、第１入力端子１３Ｉ１には、第１出力端子１８Ｏ１から交流電圧が入力される。なお、スイッチング電源装置１は、他の回路素子等が、第１出力端子１８Ｏ１と第１入力端子１３Ｉ１との間を接続する伝送路上に設けられる構成であってもよい。
【００３９】
第２入力端子１３Ｉ２は、伝送路を介して、フィルタ１８の第２出力端子１８Ｏ２と接続されている。これにより、第２入力端子１３Ｉ２には、第２出力端子１８Ｏ２から交流電圧が入力される。なお、スイッチング電源装置１は、他の回路素子等が、第２出力端子１８Ｏ２と第２入力端子１３Ｉ２との間を接続する伝送路上に設けられる構成であってもよい。
【００４０】
第１インダクタ１３Ａは、両端のうちの一方の端子が、伝送路を介して第１入力端子１３Ｉ１と接続されている。また、第１インダクタ１３Ａは、両端のうちの他方の端子が、伝送路を介してスイッチング部１３Ｂと接続されている。ここで、スイッチング部１３Ｂでは、第１スイッチング素子Ｓ１と第２スイッチング素子Ｓ２とは、直列に接続されている。そして、第１インダクタ１３Ａは、両端のうちの他方の端子が、伝送路を介して、スイッチング部１３Ｂにおいて第１スイッチング素子Ｓ１と第２スイッチング素子Ｓ２との間を接続する伝送路と接続されている。
【００４１】
第１スイッチング素子Ｓ１は、例えば、半導体として窒化ガリウムを用いた電界効果トランジスタである。図１では、図を簡略化するため、第１スイッチング素子Ｓ１を四角形によって示している。なお、第１スイッチング素子Ｓ１は、半導体として他の素材を用いた電界効果トランジスタであってもよい。また、第１スイッチング素子Ｓ１は、電界効果トランジスタに代えて、バイポーラトランジスタ等の他のスイッチング素子であってもよい。
【００４２】
第２スイッチング素子Ｓ２は、例えば、半導体として窒化ガリウムを用いた電界効果トランジスタである。図１では、図を簡略化するため、第２スイッチング素子Ｓ２を四角形によって示している。なお、第２スイッチング素子Ｓ２は、半導体として他の素材を用いた電界効果トランジスタであってもよい。また、第２スイッチング素子Ｓ２は、電界効果トランジスタに代えて、バイポーラトランジスタ等の他のスイッチング素子であってもよい。
【００４３】
第１スイッチング素子Ｓ１のソース端子は、伝送路を介して、第２スイッチング素子Ｓ２のドレイン端子と接続されている。また、第１スイッチング素子Ｓ１のドレイン端子と、第２スイッチング素子Ｓ２のソース端子との間には、力率改善回路１３において、第１整流部１３Ｃが接続されている。
【００４４】
ここで、力率改善回路１３では、第１整流素子ＲＣ１と第２整流素子ＲＣ２とは、伝送路を介して直列に接続されている。
【００４５】
第１整流素子ＲＣ１は、例えば、半導体としてシリコンを用いた電界効果トランジスタである。図１では、図を簡略化するため、第１整流素子ＲＣ１を四角形によって示している。なお、第１整流素子ＲＣ１は、半導体として他の素材を用いた電界効果トランジスタであってもよい。また、第１整流素子ＲＣ１は、電界効果トランジスタに代えて、バイポーラトランジスタ等の他のスイッチング素子、ダイオード等の他の整流素子であってもよい。
【００４６】
第２整流素子ＲＣ２は、例えば、半導体としてシリコンを用いた電界効果トランジスタである。図１では、図を簡略化するため、第２整流素子ＲＣ２を四角形によって示している。なお、第２整流素子ＲＣ２は、半導体として他の素材を用いた電界効果トランジスタであってもよい。また、第２整流素子ＲＣ２は、電界効果トランジスタに代えて、バイポーラトランジスタ等の他のスイッチング素子、ダイオード等の他の整流素子であってもよい。
【００４７】
第１整流素子ＲＣ１のソース端子は、伝送路を介して、第２整流素子ＲＣ２のドレイン端子と接続されている。また、第１整流素子ＲＣ１のドレイン端子は、伝送路を介して、第１スイッチング素子Ｓ１のドレイン端子と接続されている。また、第１整流素子ＲＣ１のドレイン端子と第１スイッチング素子Ｓ１のドレイン端子との間を接続する伝送路には、伝送路を介して、前述の第１出力端子１３Ｏ１が接続されている。また、第２整流素子ＲＣ２のソース端子は、伝送路を介して、第２スイッチング素子Ｓ２のソース端子と接続されている。また、第２整流素子ＲＣ２のソース端子と第２スイッチング素子Ｓ２のソース端子との間を接続する伝送路には、伝送路を介して、第２出力端子１３Ｏ２が接続されている。
【００４８】
第１コンデンサＣ１は、例えば、電解コンデンサである。なお、第１コンデンサＣ１は、電解コンデンサに代えて、他の種類のコンデンサであってもよい。
【００４９】
第１コンデンサＣ１は、第１端子Ｃ１Ｉ１と第２端子Ｃ１Ｉ２との２つの端子を有する。第１端子Ｃ１Ｉ１は、伝送路を介して、第１整流部１３Ｃの第１出力端子１３Ｏ１と接続されている。第２端子Ｃ１Ｉ２は、伝送路を介して、第１整流部１３Ｃの第２出力端子１３Ｏ２と接続されている。すなわち、第１コンデンサＣ１は、第１出力端子１３Ｏ１と第２出力端子１３Ｏ２との間に接続されている。
【００５０】
このように、スイッチング電源装置１では、スイッチング部１３Ｂと、第１整流部１３Ｃとが並列に接続されている。また、スイッチング電源装置１では、第１整流部１３Ｃと、第１コンデンサＣ１とが並列に接続されている。
【００５１】
インバータ１４は、例えば、絶縁された１次側ハーフブリッジ・２次側センタータップの回路で構成されたインバータである。インバータ１４は、第１入力端子１４Ｉ１と第２入力端子１４Ｉ２との２つの入力端子を有する。また、インバータ１４は、第１出力端子１４Ｏ１と、第２出力端子１４Ｏ２と、第３出力端子１４Ｏ３との３つの出力端子を有する。また、インバータ１４は、コンデンサ１４Ａと、コンデンサ１４Ｂと、スイッチング素子１４Ｃと、スイッチング素子１４Ｄと、トランスＴを備える。また、トランスＴは、第１コイルＣＬ１と、第２コイルＣＬ２を備える。なお、インバータ１４の回路構成は、図１に示した回路構成に代えて、インバータとして機能する他の回路構成であってもよい。すなわち、インバータ１４は、ハーフブリッジコンバータ以外のインバータであってもよい。
【００５２】
第１入力端子１４Ｉ１は、伝送路を介して、第１整流部１３Ｃの第１出力端子１３Ｏ１と第１コンデンサＣ１の第１端子Ｃ１Ｉ１との間を接続する伝送路に接続されている。第２入力端子１４Ｉ２は、伝送路を介して、第１整流部１３Ｃの第２出力端子１３Ｏ２と第１コンデンサＣ１の第２端子Ｃ１Ｉ２との間を接続する伝送路に接続されている。すなわち、インバータ１４の入力端子間には、第１コンデンサＣ１が接続されている。なお、当該入力端子間は、第１入力端子１４Ｉ１と第２入力端子１４Ｉ２との間のことである。
【００５３】
また、インバータ１４において、第１入力端子１４Ｉ１と第２入力端子１４Ｉ２との間には、伝送路を介して、コンデンサ１４Ａとコンデンサ１４Ｂとが直列に接続されている。図１に示した例では、第１入力端子１４Ｉ１と第２入力端子１４Ｉ２との間には、第１入力端子１４Ｉ１側から第２入力端子１４Ｉ２側に向かって、コンデンサ１４Ａ、コンデンサ１４Ｂの順に、コンデンサ１４Ａとコンデンサ１４Ｂとが直列に接続されている。
【００５４】
コンデンサ１４Ａは、例えば、セラミックコンデンサである。なお、コンデンサ１４Ａは、セラミックコンデンサに代えて、他の種類のコンデンサであってもよい。
【００５５】
コンデンサ１４Ｂは、例えば、セラミックコンデンサである。なお、コンデンサ１４Ｂは、セラミックコンデンサに代えて、他の種類のコンデンサであってもよい。
【００５６】
スイッチング素子１４Ｃは、例えば、電界効果トランジスタである。なお、スイッチング素子１４Ｃは、電界効果トランジスタに代えて、バイポーラトランジスタ等の他のスイッチング素子であってもよい。
【００５７】
スイッチング素子１４Ｄは、例えば、電界効果トランジスタである。なお、スイッチング素子１４Ｄは、電界効果トランジスタに代えて、バイポーラトランジスタ等の他のスイッチング素子であってもよい。
【００５８】
スイッチング素子１４Ｃのドレイン端子は、伝送路を介して、第１入力端子１４Ｉ１とコンデンサ１４Ａとの間を接続する伝送路に接続されている。また、スイッチング素子１４Ｃのソース端子は、伝送路を介して、スイッチング素子１４Ｄのドレイン端子と接続されている。また、スイッチング素子１４Ｄのソース端子は、伝送路を介して、第２入力端子１４Ｉ２とコンデンサ１４Ｂとの間を接続する伝送路に接続されている。
【００５９】
第１コイルＣＬ１は、トランスＴの１次側のコイルである。第１コイルＣＬ１の両端のうちの一方の端子は、伝送路を介して、スイッチング素子１４Ｃのソース端子とスイッチング素子１４Ｄのドレイン端子との間を接続する伝送路に接続されている。また、第１コイルＣＬ１の両端のうちの他方の端子は、伝送路を介して、コンデンサ１４Ａが有する端子のうち第１入力端子１４Ｉ１と接続されていない方の端子と、コンデンサ１４Ｂが有する端子のうち第２入力端子１４Ｉ２と接続されていない方の端子との間を接続する伝送路に接続されている。
【００６０】
図１に示した例では、図１に示したインバータ１４の構成により、第１コイルＣＬ１の両端には、第１コンデンサＣ１が電気的に接続されている。より具体的には、インバータ１４では、スイッチング素子１４Ｃの状態がオン状態であり、且つ、スイッチング素子１４Ｄの状態がオフ状態である場合、第１コイルＣＬ１の両端には、スイッチング素子１４Ｃ及びコンデンサ１４Ｂを介して、第１コンデンサＣ１が電気的に接続される。また、インバータ１４では、スイッチング素子１４Ｃの状態がオフ状態であり、且つ、スイッチング素子１４Ｄの状態がオン状態である場合、第１コイルＣＬ１の両端には、スイッチング素子１４Ｄ及びコンデンサ１４Ａを介して、第１コンデンサＣ１が電気的に接続される。ここで、オン状態は、電界効果トランジスタのドレイン端子とソース端子とが導通している状態のことを示す。また、オフ状態は、電界効果トランジスタのドレイン端子とソース端子とが導通していない状態のことを示す。
【００６１】
第２コイルＣＬ２は、トランスＴの２次側のコイルである。図１に示した例では、第２コイルＣＬ２は、第２ＡコイルＣＬ２Ａと、第２ＢコイルＣＬ２Ｂとの２つのコイルによって構成されている。より具体的には、第２コイルＣＬ２において、第２ＡコイルＣＬ２Ａと第２ＢコイルＣＬ２Ｂとは、直列に接続されている。
【００６２】
また、第２ＡコイルＣＬ２Ａが有する両端子のうち第２ＢコイルＣＬ２Ｂと接続されていない方の端子は、伝送路を介して、第１出力端子１４Ｏ１に接続されている。また、第２ＢコイルＣＬ２Ｂが有する両端子のうち第２ＡコイルＣＬ２Ａと接続されていない方の端子は、伝送路を介して、第２出力端子１４Ｏ２に接続されている。また、前述の第３出力端子１４Ｏ３は、伝送路を介して、第２ＡコイルＣＬ２Ａと第２ＢコイルＣＬ２Ｂとの間を接続する伝送路に接続されている。
【００６３】
第２整流部１５は、第１入力端子１５Ｉ１と第２入力端子１５Ｉ２と第３入力端子１５Ｉ３との３つの入力端子を有する。また、第２整流部１５は、第１出力端子１５Ｏ１と第２出力端子１５Ｏ２との２つの出力端子を有する。また、第２整流部１５は、ダイオードＤ１とダイオードＤ２との２つのダイオードを備える。
【００６４】
第１入力端子１５Ｉ１は、伝送路を介して、インバータ１４の第１出力端子１４Ｏ１に接続されている。また、第２入力端子１５Ｉ２は、伝送路を介して、インバータ１４の第２出力端子１４Ｏ２に接続されている。また、第３入力端子１５Ｉ３は、伝送路を介して、インバータ１４の第３出力端子１４Ｏ３に接続されている。すなわち、第２整流部１５は、第２コイルＣＬ２と接続される入力端子を有している。
【００６５】
また、第２整流部１５において、第１入力端子１５Ｉ１は、伝送路を介して、ダイオードＤ１のカソードに接続されている。また、第２入力端子１５Ｉ２は、伝送路を介して、ダイオードＤ２のカソードに接続されている。また、第２整流部１５において、第３入力端子１５Ｉ３は、伝送路を介して、第１出力端子１５Ｏ１に接続されている。また、ダイオードＤ１のアノードは、伝送路を介して、ダイオードＤ２のアノードと接続されている。すなわち、第２整流部１５において、ダイオードＤ１とダイオードＤ２は、直列に接続されている。また、第２出力端子１５Ｏ２は、伝送路を介して、ダイオードＤ１とダイオードＤ２との間を接続する伝送路に接続されている。
【００６６】
また、第２整流部１５の第１出力端子１５Ｏ１は、負荷ＬＤのプラス側の端子と電気的に接続される端子である。また、第２整流部１５の第２出力端子１５Ｏ２は、負荷ＬＤのマイナス側の端子と電気的に接続される端子である。
【００６７】
このような構成により、第２整流部１５は、インバータ１４から出力される交流電圧を脈流電圧に全波整流する。なお、第２整流部１５の回路構成は、図１に示した回路構成に代えて、インバータ１４から出力される交流電圧を脈流電圧に整流する回路として機能する他の回路構成であってもよい。
【００６８】
平滑部１６は、第２整流部１５により全波整流された後の脈流電圧の平滑化を行い、安定した直流電圧を出力する。図１に示した例では、平滑部１６は、第３コンデンサＣ３を備える。すなわち、当該例では、第３コンデンサＣ３は、平滑コンデンサである。なお、平滑部１６は、第２整流部１５により全波整流された後の脈流電圧の平滑化を行い、安定した直流電圧を出力する回路として機能する他の回路構成であってもよい。
【００６９】
第３コンデンサＣ３は、例えば、電解コンデンサである。なお、第３コンデンサＣ３は、電解コンデンサに代えて、他の種類のコンデンサであってもよい。第３コンデンサＣ３の両端のうちの一方の端子は、伝送路を介して、第２整流部１５の第１出力端子１５Ｏ１に接続されている。また、第３コンデンサＣ３の両端のうちの他方の端子は、伝送路を介して、第２整流部１５の第２出力端子１５Ｏ２に接続されている。すなわち、平滑部１６は、第２整流部１５の出力端子間に接続されている。
【００７０】
そして、第３コンデンサＣ３の両端には、伝送路を介して、負荷ＬＤが接続されている。具体的には、第２整流部１５の第１出力端子１５Ｏ１と第３コンデンサＣ３との間を接続する伝送路には、負荷ＬＤの第１端子ＬＤＩ１が接続されている。また、第２整流部１５の第２出力端子１５Ｏ２と第３コンデンサＣ３との間を接続する伝送路には、負荷ＬＤの第２端子ＬＤＩ２が接続されている。そして、平滑部１６は、平滑化を行った後の直流電圧を、負荷ＬＤに入力（供給）する。
【００７１】
ここで、平滑部１６とフレームグラウンドＦＧとの間には、伝送路を介して、第２０コンデンサＣＦＧが接続されている。図１に示した例では、第２０コンデンサＣＦＧは、第３コンデンサＣ３が有する端子のうち第２整流部１５の第２出力端子１５Ｏ２に接続される端子と、フレームグラウンドＦＧとの間に接続されている。なお、第２０コンデンサＣＦＧは、平滑部１６の他の位置とフレームグラウンドＦＧとの間に接続される構成であってもよい。例えば、第２０コンデンサＣＦＧは、第３コンデンサＣ３が有する端子のうち第２整流部１５の第１出力端子１５Ｏ１に接続される端子とフレームグラウンドＦＧとの間に接続される構成であってもよい。
【００７２】
また、第２コンデンサＣ２は、トランスＴの１次側の第１コイルＣＬ１とトランスＴの２次側の第２コイルＣＬ２との間に発生するノイズ電流に起因する伝導ノイズの発生を抑制するためのコンデンサである。第２コンデンサＣ２の静電容量は、第１コイルＣＬ１と第２コイルＣＬ２との間の寄生容量よりも十分に大きな静電容量である。これは、トランスＴの１次側の第１コイルＣＬ１とトランスＴの２次側の第２コイルＣＬ２との間に発生するノイズ電流に起因する伝導ノイズの発生を抑制するためである。ここで、第２コンデンサＣ２は、例えば、セラミックコンデンサである。なお、第２コンデンサＣ２は、セラミックコンデンサに代えて、他の種類のコンデンサであってもよい。
【００７３】
第２コンデンサＣ２は、伝送路を介して、整流素子間の伝送路と、平滑部１６との間に接続される。ここで、整流素子間の伝送路は、第１整流素子ＲＣ１のソース端子と第２整流素子ＲＣ２のドレイン端子との間を接続する伝送路のことである。図１に示した例では、第２コンデンサＣ２は、整流素子間の伝送路と、第３コンデンサＣ３が有する端子のうち第２整流部１５の第１出力端子１５Ｏ１と接続されている方の端子との間に接続されている。なお、第２コンデンサＣ２は、整流素子間の伝送路と、第３コンデンサＣ３が有する端子のうち第２整流部１５の第２出力端子１５Ｏ２と接続されている方の端子との間に接続される構成であってもよい。以下では、説明の便宜上、整流素子間の伝送路と平滑部１６との間を接続し、第２コンデンサＣ２が設けられている伝送路を、伝送路ＥＬと称して説明する。
【００７４】
このように、スイッチング電源装置１では、整流素子間の伝送路と、平滑部１６との間が伝送路ＥＬによって接続される。このため、スイッチング電源装置１では、トランスＴの第１コイルＣＬ１とトランスＴの第２コイルＣＬ２との間に発生するノイズ電流が、伝送路ＥＬ、第１整流部１３Ｃを順に介して第１コイルＣＬ１に流れる。その結果、スイッチング電源装置１は、フィルタ１８のみによって当該ノイズ電流に起因する伝導ノイズの発生を抑制する場合と比較して、当該伝導ノイズの発生を抑制することができる。
【００７５】
ここで、第２コンデンサＣ２は、整流素子間の伝送路と、平滑部１６以降の伝送路上の位置のうち平滑部１６によって平滑化された後の直流電圧が安定している位置との間に接続されることが望ましい。本実施形態では、平滑部１６以降の伝送路は、平滑部１６が有する２つの入力端子よりも後段における伝送路のことである。第２整流部１５の第１出力端子１５Ｏ１と第３コンデンサＣ３との間を接続する伝送路上の位置、又は、第２整流部１５の第２出力端子１５Ｏ２と第３コンデンサＣ３との間を接続する伝送路上の位置は、平滑部１６以降の伝送路上の位置のうち平滑部１６によって平滑化された後の直流電圧が安定している位置の一例である。
【００７６】
ただし、平滑部１６において、伝送路ＥＬが接続される位置は、第２コイルＣＬ２に近い方が望ましい。これは、経験上、前述のノイズ電流による伝導ノイズの発生が最も抑制されるためである。このため、図１に示した例では、伝送路ＥＬは、平滑部１６において、第３コンデンサＣ３が有する端子のうち第２整流部１５の第１出力端子１５Ｏ１と接続されている方の端子に接続されている。
【００７７】
なお、スイッチング電源装置１は、伝送路ＥＬ上において、抵抗等の回路素子が第２コンデンサＣ２と直列に接続される構成であってもよく、高周波ノイズを熱に変換するフェライトビーズが伝送路ＥＬに設けられている構成であってもよい。また、第２コンデンサＣ２は、直列に接続された複数のコンデンサによって構成されてもよい。
【００７８】
制御部１７は、例えば、ＣＰＵ（Central  Processing  Unit）である。なお、制御部１７は、ＣＰＵに代えて、ＦＰＧＡ（Field  Programmable  Gate  Array）、アナログ集積回路、アナログ・デジタル混載集積回路等の他の制御回路であってもよい。
【００７９】
制御部１７は、第１スイッチング素子Ｓ１と、第２スイッチング素子Ｓ２と、第１整流素子ＲＣ１と、第２整流素子ＲＣ２と、インバータ１４が有するスイッチング素子１４Ｃと、インバータ１４が有するスイッチング素子１４Ｄとのそれぞれについてのスイッチング制御を行う。
【００８０】
例えば、制御部１７は、第１整流素子ＲＣ１の状態と第２整流素子ＲＣ２の状態とを、交互にオン状態とオフ状態との間で切り替える。
【００８１】
すなわち、制御部１７は、第１整流素子ＲＣ１の状態をオン状態とした場合、第２整流素子ＲＣ２の状態をオフ状態とする。また、制御部１７は、第１整流素子ＲＣ１の状態をオフ状態とした場合、第２整流素子ＲＣ２の状態をオン状態とする。また、制御部１７は、交流電源ＰＳの第１端子ＰＳＯ１の電位が交流電源ＰＳの第２端子ＰＳＯ２の電位よりも高い場合、第１整流素子ＲＣ１の状態をオフ状態に切り替え、第２整流素子ＲＣ２の状態をオン状態に切り替える。また、制御部１７は、交流電源ＰＳの第１端子ＰＳＯ１の電位が交流電源ＰＳの第２端子ＰＳＯ２の電位よりも低い場合、第１整流素子ＲＣ１の状態をオン状態に切り替え、第２整流素子ＲＣ２の状態をオフ状態に切り替える。このように、制御部１７は、第１整流素子ＲＣ１の状態、第２整流素子ＲＣ２の状態それぞれの切り替えを、交流電源ＰＳの電源周波数と同じ周波数で行う。当該電源周波数は、例えば、５０Ｈｚであるが、これに限られるわけではない。
【００８２】
また、例えば、制御部１７は、第１スイッチング素子Ｓ１の状態と第２スイッチング素子Ｓ２の状態とを、交互にオン状態とオフ状態との間で切り替える。すなわち、制御部１７は、第１スイッチング素子Ｓ１の状態をオン状態とした場合、第２スイッチング素子Ｓ２の状態をオフ状態とする。また、制御部１７は、第１スイッチング素子Ｓ１の状態をオフ状態とした場合、第２スイッチング素子Ｓ２の状態をオン状態とする。また、制御部１７は、第１スイッチング素子Ｓ１の状態、第２スイッチング素子Ｓ２の状態のそれぞれの切り替えを、前述の電源周波数よりも高い周波数で行う。制御部１７は、例えば、第１スイッチング素子Ｓ１の状態、第２スイッチング素子Ｓ２の状態のそれぞれの切り替えを、１００ｋＨｚで行う。
【００８３】
制御部１７は、第１インダクタ１３Ａに流れる電流と、第１コンデンサＣ１の両端の電圧、及び、交流電圧入力部１１の入力端子間電圧（第１入力端子１１Ｉ１と第２入力端子１１Ｉ２との間の電圧、又は、第１出力端子１１Ｏ１と第２出力端子１１Ｏ２との間の電圧）を検出して、第１スイッチング素子Ｓ１の状態、第２スイッチング素子Ｓ２の状態のそれぞれの切り替えをＰＷＭ（Ｐｕｌｓｅ  Ｗｉｄｔｈ  Ｍｏｄｕｌａｔｉｏｎ）制御により行い、ＰＷＭ制御の時比率を、第１インダクタ１３Ａに流れる電流と入力端子間電圧が相似形になるように制御するとともに、第１コンデンサＣ１の両端の電圧が一定の電圧（例えば、４００Ｖ）になるように制御する。これにより、力率改善回路１３は、力率改善のための動作を行う。
【００８４】
また、制御部１７は、交流電源ＰＳの第１端子ＰＳＯ１の電位が交流電源ＰＳの第２端子ＰＳＯ２の電位よりも高い場合、ＰＷＭ制御のオン状態の時比率の制御対象を第２スイッチング素子Ｓ２とし、第２スイッチング素子Ｓ２の状態をＰＷＭ制御によりオフ状態にしたときに第１スイッチング素子Ｓ１の状態をオン状態とする。また、制御部１７は、交流電源ＰＳの第１端子ＰＳＯ１の電位が交流電源ＰＳの第２端子ＰＳＯ２の電位よりも低い場合、ＰＷＭ制御のオン状態の時比率の制御対象を第１スイッチング素子Ｓ１とし、第１スイッチング素子Ｓ１の状態をＰＷＭ制御によりオフ状態したときに第２スイッチング素子Ｓ２の状態をオン状態とする。このように、制御部１７は、ＰＷＭ制御のオン状態の時比率の制御対象の切り替えを、交流電源ＰＳの電源周波数と同じ周波数で行う。ＰＷＭ制御の方法、及び、力率改善のための制御の方法の詳細については、既知の方法であるため、説明を省略する。
【００８５】
また、例えば、制御部１７は、スイッチング素子１４Ｃの状態とスイッチング素子１４Ｄの状態とを、交互にオン状態とオフ状態との間で切り替える。すなわち、制御部１７は、スイッチング素子１４Ｃの状態をオン状態とした場合、スイッチング素子１４Ｄの状態をオフ状態とする。また、制御部１７は、スイッチング素子１４Ｃの状態をオフ状態とした場合、スイッチング素子１４Ｄの状態をオン状態とする。インバータ１４は、トランスＴの漏れインダクタンスとトランスＴの励磁インダクタンス、及びコンデンサ１４Ａとコンデンサ１４ＢによりＬＬＣ共振を行う。制御部１７は、スイッチング素子１４Ｃとスイッチング素子１４Ｄの状態のそれぞれの切り替えの周波数を、ＰＦＭ（Ｐｕｌｓｅ  Ｆｒｅｑｕｅｎｃｙ  Ｍｏｄｕｌａｔｉｏｎ）制御により、出力端子間電圧（負荷ＬＤの第１端子ＬＤＩ１と負荷ＬＤの第２端子ＬＤＩ２との間の電圧）が一定となるように制御する。ＬＬＣ共振コンバータ（インバータ１４に第２整流部１５を組み合わせた回路）のＰＦＭ制御の方法の詳細については、既知の方法であるため、説明を省略する。
【００８６】
なお、図１では、図を簡略化するため、第１スイッチング素子Ｓ１、第２スイッチング素子Ｓ２、第１整流素子ＲＣ１、第２整流素子ＲＣ２、スイッチング素子１４Ｃ、スイッチング素子１４Ｄそれぞれのゲート端子と制御部１７との間を接続する伝送路を、省略している。制御部１７は、第１スイッチング素子Ｓ１、第２スイッチング素子Ｓ２、第１整流素子ＲＣ１、第２整流素子ＲＣ２、スイッチング素子１４Ｃ、スイッチング素子１４Ｄそれぞれのゲート端子に対する電圧の印加によって、第１スイッチング素子Ｓ１、第２スイッチング素子Ｓ２、第１整流素子ＲＣ１、第２整流素子ＲＣ２、スイッチング素子１４Ｃ、スイッチング素子１４Ｄそれぞれのスイッチング制御を行う。また、図１では、図を簡略化するため、第１インダクタ１３Ａに流れる電流を検出する電流検出回路、第１コンデンサＣ１の両端の電圧、第３コンデンサＣ３の両端の電圧（出力端子間電圧（負荷ＬＤの第１端子ＬＤＩ１と負荷ＬＤの第２端子ＬＤＩ２との間の電圧））、交流電圧入力部１１の入力端子間電圧（第１出力端子１１Ｏ１と第２出力端子１１Ｏ２との間の電圧）を検出する各電圧検出回路についても、省略している。
【００８７】
以上のような回路構成により、スイッチング電源装置１では、トランスＴの第１コイルＣＬ１とトランスＴの第２コイルＣＬ２との間に発生するノイズ電流が、伝送路ＥＬ、第１整流部１３Ｃを順に介して第１コイルＣＬ１に流れる。その結果、スイッチング電源装置１は、当該ノイズ電流に起因する伝導ノイズの発生を抑制することができる。
【００８８】
次に、スイッチング電源装置１の伝導ノイズを測定する場合におけるスイッチング電源装置１の構成について説明をする。図２は、スイッチング電源装置１の伝導ノイズを測定する場合におけるスイッチング電源装置１の構成の一例を示す図である。図２に示したスイッチング電源装置１の構成は、図１に示したスイッチング電源装置１の構成において、交流電源ＰＳと交流電圧入力部１１の間にＬＩＳＮ（Ｌｉｎｅ  Ｉｍｐｅｄａｎｃｅ  Ｓｔａｂｉｌｉｚａｔｉｏｎ  Ｎｅｔｗｏｒｋ）１２を追加した構成である。
【００８９】
ＬＩＳＮ１２は、ラインインピーダンス安定化回路網である。ＬＩＳＮ１２は、スイッチング電源装置１において、電源ラインのインピーダンスの一定化を行う。これにより、ＬＩＳＮ１２は、交流電源ＰＳと交流電圧入力部１１との間に流入する伝導ノイズを検出可能にすることができる。ＬＩＳＮ１２の構成は、電源ラインのインピーダンスの一定化を行うことが可能な構成であれば、既知の構成であってもよく、これから開発される構成であってもよい。
【００９０】
また、ＬＩＳＮ１２は、第１入力端子１２Ｉ１と第２入力端子１２Ｉ２との２つの入力端子を有する。また、ＬＩＳＮ１２は、第１出力端子１２Ｏ１と第２出力端子１２Ｏ２との２つの出力端子を有する。また、ＬＩＳＮ１２は、ＦＧ端子１２Ｏ３を有する。
【００９１】
図２に示した例では、第１入力端子１２Ｉ１は、伝送路を介して、交流電源ＰＳの第１端子ＰＳＯ１と接続されている。また、当該例では、第２入力端子１２Ｉ２は、伝送路を介して、交流電源ＰＳの第２端子ＰＳＯ２と接続されている。また、第１出力端子１２Ｏ１は、伝送路を介して、交流電圧入力部１１の第１入力端子１１Ｉ１と接続されている。また、第２出力端子１２Ｏ２は、伝送路を介して、交流電圧入力部１１の第２入力端子１１Ｉ２と接続されている。
【００９２】
ＬＩＳＮ１２は、第１入力端子１２Ｉ１に入力された交流電圧を、第１出力端子１２Ｏ１から出力する。また、ＬＩＳＮ１２は、第２入力端子１２Ｉ２に入力された交流電圧を、第２出力端子１２Ｏ２から出力する。また、ＬＩＳＮ１２が有するＦＧ端子１２Ｏ３には、前述のフレームグラウンドＦＧが接続される。ここで、前述の第２０コンデンサＣＦＧは、伝送路を介して、ＬＩＳＮ１２と接続される。そして、第２０コンデンサＣＦＧは、ＬＩＳＮ１２内において、ＦＧ端子１２Ｏ３と電気的に接続される。すなわち、第２０コンデンサＣＦＧは、ＦＧ端子１２Ｏ３を介して、フレームグラウンドＦＧに接地されている。そして、図２に示したスイッチング電源装置１の伝導ノイズ測定試験では、電磁遮蔽空間（シールドルーム）を用いて測定が行われる。
【００９３】
ここで、図３は、伝送路ＥＬを備えていない場合と伝送路ＥＬを備えている場合とのそれぞれにおいてスイッチング電源装置１に発生する伝導ノイズの一例を示す図である。また、図３は、図２に示したスイッチング電源装置１の伝導ノイズ測定試験を電磁遮蔽空間を用いて測定した結果である。図３に示したグラフＧ１は、伝送路ＥＬを備えていない場合においてスイッチング電源装置１に発生する伝導ノイズの一例を示す。グラフＧ１の横軸は、伝導ノイズの周波数を示す。グラフＧ１の縦軸は、ｄＢ（μＶ）単位で表された伝導ノイズのレベルを示す。グラフＧ１に示した線ＢＬｖは、ＩＴＥ／規格：ＣＩＳＰＲ３２  Ｃｌａｓｓ  Ｂ等の規格によって定められている許容値である。すなわち、スイッチング電源装置１の伝導ノイズのレベルは、各周波数帯において線ＢＬｖよりも低いレベルに抑えることが望ましい。
【００９４】
一方、図３に示したグラフＧ２は、伝送路ＥＬを備えている場合においてスイッチング電源装置１に発生する伝導ノイズの一例を示す。グラフＧ２の横軸は、伝導ノイズの周波数を示す。グラフＧ２の縦軸は、ｄＢ（μＶ）単位で表された伝導ノイズのレベルを示す。
【００９５】
グラフＧ１とグラフＧ２とを比較することにより、スイッチング電源装置１が、伝送路ＥＬを備えることにより、スイッチング電源装置１に発生する伝導ノイズを抑制することができていることが分かる。
【００９６】
＜実施形態の変形例１＞
以下、図４を参照し、実施形態の変形例１について説明する。なお、実施形態の変形例１では、実施形態と同様な構成部に対して同じ符号を付して説明を省略する。実施形態の変形例１では、スイッチング電源装置１は、平滑部１６に代えて、図４に示した平滑部１６Ａを備える。図４は、実施形態の変形例１に係る平滑部１６Ａの回路構成の一例を示す図である。
【００９７】
平滑部１６Ａは、第４コンデンサＣ４と、第５コンデンサＣ５と、第２インダクタＬ２を備える。
【００９８】
第４コンデンサＣ４は、例えば、電解コンデンサである。なお、第４コンデンサＣ４は、電解コンデンサに代えて、他の種類のコンデンサであってもよい。
【００９９】
第５コンデンサＣ５は、例えば、電解コンデンサである。なお、第５コンデンサＣ５は、電解コンデンサに代えて、他の種類のコンデンサであってもよい。
【０１００】
第４コンデンサＣ４は、伝送路を介して、第２整流部１５の出力端子間に接続されている。第４コンデンサＣ４が有する端子のうち第２整流部１５の第１出力端子１５Ｏ１と接続される端子には、第２インダクタＬ２が接続されている。第２インダクタＬ２が有する端子のうち第４コンデンサＣ４と接続されない端子には、平滑部１６Ａが有する第１出力端子１６ＡＯ１が接続されている。第４コンデンサＣ４が有する端子のうち第２整流部１５の第２出力端子１５Ｏ２と接続される端子には、平滑部１６Ａが有する第２出力端子１６ＡＯ２が接続されている。平滑部１６Ａの出力端子間には、第５コンデンサＣ５が接続されている。
【０１０１】
ここで、図４に示した例では、伝送路ＥＬは、整流素子間の伝送路と、第４コンデンサＣ４が有する端子のうち第２整流部１５の第１出力端子１５Ｏ１と接続されている方の端子との間に接続されている。すなわち、当該例では、第２コンデンサＣ２は、整流素子間の伝送路と、第４コンデンサＣ４が有する端子のうち第２整流部１５の第１出力端子１５Ｏ１と接続されている方の端子との間に接続されている。また、当該例では、第２０コンデンサＣＦＧは、第４コンデンサＣ４が有する端子のうち第２整流部１５の第２出力端子１５Ｏ２と接続される端子と、図４において図示しないフレームグラウンドＦＧとの間に接続されている。
【０１０２】
以上のような回路構成により、実施形態の変形例１に係るスイッチング電源装置１では、トランスＴの第１コイルＣＬ１とトランスＴの第２コイルＣＬ２との間に発生するノイズ電流が、伝送路ＥＬ、第１整流部１３Ｃを順に介して第１コイルＣＬ１に流れる。その結果、当該スイッチング電源装置１は、当該ノイズ電流に起因する伝導ノイズの発生を抑制することができる。
【０１０３】
なお、実施形態の変形例１に係るスイッチング電源装置１では、第２コンデンサＣ２は、伝送路を介して、整流素子間の伝送路と、第４コンデンサＣ４が有する端子のうち第２整流部１５の第２出力端子１５Ｏ２と接続されている方の端子との間に接続される構成であってもよい。また、当該スイッチング電源装置１では、第２コンデンサＣ２は、伝送路を介して、整流素子間の伝送路と、第５コンデンサＣ５が有する端子のうち第２インダクタＬ２を介して第２整流部１５の第１出力端子１５Ｏ１と接続されている方の端子との間に接続される構成であってもよい。また、当該スイッチング電源装置１では、第２コンデンサＣ２は、伝送路を介して、整流素子間の伝送路と、第５コンデンサＣ５が有する端子のうち第２整流部１５の第２出力端子１５Ｏ２と接続されている方の端子との間に接続される構成であってもよい。
【０１０４】
ここで、第２コンデンサＣ２は、整流素子間の伝送路と、平滑部１６Ａ以降の伝送路上の位置のうち平滑部１６Ａによって平滑化された後の直流電圧が安定している位置との間に接続されることが望ましい。本実施形態では、平滑部１６Ａ以降の伝送路は、平滑部１６Ａが有する２つの入力端子よりも後段における伝送路のことである。第４コンデンサＣ４の両端子と第５コンデンサＣ５の両端子との４つの端子のうちのいずれか１つの端子は、平滑部１６Ａ以降の伝送路上の位置のうち平滑部１６Ａによって平滑化された後の直流電圧が安定している位置の一例である。
【０１０５】
ただし、平滑部１６Ａにおいて、伝送路ＥＬが接続される位置は、第２コイルＣＬ２に近い方が望ましい。これは、経験上、前述のノイズ電流による伝導ノイズの発生が、より抑制されるためである。このため、図４に示した例では、伝送路ＥＬは、平滑部１６Ａにおいて、第４コンデンサＣ４が有する端子のうち第２整流部１５の第１出力端子１５Ｏ１と接続されている方の端子に接続されている。
【０１０６】
また、図４に示した平滑部１６Ａでは、第２インダクタＬ２が接続されている位置が、図４に示した位置と異なる位置であってもよい。
【０１０７】
例えば、第２インダクタＬ２は、第４コンデンサＣ４が有する端子のうち第２出力端子１５Ｏ２と接続される端子と接続される構成であってもよい。この場合、第４コンデンサＣ４が有する端子のうち第２整流部１５の第１出力端子１５Ｏ１と接続される端子には、平滑部１６Ａの第１出力端子１６ＡＯ１が接続される。また、当該場合、第２インダクタＬ２が有する端子のうち第４コンデンサＣ４と接続されない端子には、平滑部１６Ａの第２出力端子１６ＡＯ２が接続される。また、当該場合、平滑部１６Ａの出力端子間（すなわち、第１出力端子１６ＡＯ１と第２出力端子１６ＡＯ２との間）には、第５コンデンサＣ５が接続される。
【０１０８】
＜実施形態の変形例２＞
以下、図５を参照し、実施形態の変形例２について説明する。なお、実施形態の変形例２では、実施形態と同様な構成部に対して同じ符号を付して説明を省略する。実施形態の変形例２では、スイッチング電源装置１は、平滑部１６に代えて、図５に示した平滑部１６Ｂを備える。図５は、実施形態の変形例２に係る平滑部１６Ｂの回路構成の一例を示す図である。
【０１０９】
平滑部１６Ｂは、第６コンデンサＣ６と、第７コンデンサＣ７と、第３インダクタＬ３と、第４インダクタＬ４を備える。
【０１１０】
第６コンデンサＣ６は、例えば、電解コンデンサである。なお、第６コンデンサＣ６は、電解コンデンサに代えて、他の種類のコンデンサであってもよい。
【０１１１】
第７コンデンサＣ７は、例えば、電解コンデンサである。なお、第７コンデンサＣ７は、電解コンデンサに代えて、他の種類のコンデンサであってもよい。
【０１１２】
第４インダクタＬ４は、第２整流部１５の第１出力端子１５Ｏ１に接続されている。第４インダクタＬ４が有する端子のうち第２整流部１５の第１出力端子１５Ｏ１と接続されない端子と、第２整流部１５の第２出力端子１５Ｏ２との間には、第６コンデンサＣ６が接続されている。第６コンデンサＣ６が有する端子のうち第４インダクタＬ４と接続される端子には、第３インダクタＬ３が接続されている。第３インダクタＬ３が有する端子のうち第６コンデンサＣ６と接続されない端子には、平滑部１６Ｂが有する第１出力端子１６ＢＯ１が接続されている。第６コンデンサＣ６が有する端子のうち第２整流部１５の第２出力端子１５Ｏ２と接続される端子には、平滑部１６Ｂが有する第２出力端子１６ＢＯ２が接続されている。平滑部１６Ｂの出力端子間には、第７コンデンサＣ７が接続されている。
【０１１３】
ここで、図５に示した例では、伝送路ＥＬは、整流素子間の伝送路と、第６コンデンサＣ６が有する端子のうち第４インダクタＬ４と接続されている方の端子との間に接続されている。すなわち、当該例では、第２コンデンサＣ２は、整流素子間の伝送路と、第６コンデンサＣ６が有する端子のうち第４インダクタＬ４と接続されている方の端子との間に接続されている。また、当該例では、第２０コンデンサＣＦＧは、第６コンデンサＣ６が有する端子のうち第２整流部１５の第２出力端子１５Ｏ２と接続される端子と、図５において図示しないフレームグラウンドＦＧとの間に接続されている。
【０１１４】
以上のような回路構成により、実施形態の変形例２に係るスイッチング電源装置１では、トランスＴの第１コイルＣＬ１とトランスＴの第２コイルＣＬ２との間に発生するノイズ電流が、伝送路ＥＬ、第１整流部１３Ｃを順に介して第１コイルＣＬ１に流れる。その結果、当該スイッチング電源装置１は、当該ノイズ電流による伝導ノイズの発生を抑制することができる。
【０１１５】
なお、実施形態の変形例２に係るスイッチング電源装置１では、第２コンデンサＣ２は、整流素子間の伝送路と、第６コンデンサＣ６が有する端子のうち第２整流部１５の第２出力端子１５Ｏ２と接続されている方の端子との間に接続される構成であってもよい。また、当該スイッチング電源装置１では、第２コンデンサＣ２は、整流素子間の伝送路と、第７コンデンサＣ７が有する端子のうち第３インダクタＬ３と接続されている方の端子との間に接続される構成であってもよい。また、当該スイッチング電源装置１では、第２コンデンサＣ２は、整流素子間の伝送路と、第７コンデンサＣ７が有する端子のうち第２整流部１５の第２出力端子１５Ｏ２と接続されている方の端子との間に接続される構成であってもよい。
【０１１６】
ここで、第２コンデンサＣ２は、整流素子間の伝送路と、平滑部１６Ｂ以降の伝送路上の位置のうち平滑部１６Ｂによって平滑化された後の直流電圧が安定している位置との間に接続されることが望ましい。本実施形態では、平滑部１６Ｂ以降の伝送路は、平滑部１６Ｂが有する２つの入力端子よりも後段における伝送路のことである。第６コンデンサＣ６の両端子と第７コンデンサＣ７の両端子との４つの端子のうちのいずれか１つの端子は、平滑部１６Ｂ以降の伝送路上の位置のうち平滑部１６Ｂによって平滑化された後の直流電圧が安定している位置の一例である。
【０１１７】
ただし、平滑部１６Ｂにおいて、伝送路ＥＬが接続される位置は、第２コイルＣＬ２に近い方が望ましい。これは、経験上、前述のノイズ電流による伝導ノイズの発生が、より抑制されるためである。このため、図５に示した例では、伝送路ＥＬは、平滑部１６Ｂにおいて、第６コンデンサＣ６が有する端子のうち第４インダクタＬ４と接続されている方の端子に接続されている。
【０１１８】
また、図５に示した平滑部１６Ｂでは、第４インダクタＬ４が接続されている位置が、図５に示した位置と異なる位置であってもよい。
【０１１９】
例えば、第４インダクタＬ４は、第２整流部１５の第１出力端子１５Ｏ１に代えて、第２整流部１５の第２出力端子１５Ｏ２と接続される構成であってもよい。この場合、第４インダクタＬ４が有する端子のうち第２整流部１５の第２出力端子１５Ｏ２と接続されない端子には、第６コンデンサＣ６が接続される。また、当該場合、第６コンデンサＣ６が有する端子のうち第４インダクタＬ４と接続されない端子には、第２整流部１５の第１出力端子１５Ｏ１が接続される。また、当該場合、第６コンデンサＣ６が有する端子のうち第２整流部１５の第１出力端子１５Ｏ１に接続される端子には、第３インダクタＬ３が接続される。また、当該場合、第３インダクタＬ３が有する端子のうち第６コンデンサＣ６と接続されない端子には、平滑部１６Ｂの第１出力端子１６ＢＯ１が接続される。また、当該場合、第６コンデンサＣ６が有する端子のうち第４インダクタＬ４と接続される端子には、平滑部１６Ｂの第２出力端子１６ＢＯ２が接続される。また、当該場合、平滑部１６Ｂの出力端子間には、第７コンデンサＣ７が接続される。
【０１２０】
また、図５に示した平滑部１６Ｂでは、第３インダクタＬ３が接続されている位置が、図５に示した位置と異なる位置であってもよい。
【０１２１】
例えば、第３インダクタＬ３は、第６コンデンサＣ６が有する端子のうち第２出力端子１５Ｏ２と接続される端子と、平滑部１６Ｂの第２出力端子１６Ｂ２との間に接続される構成であってもよい。この場合、第６コンデンサＣ６が有する端子のうち第１出力端子１５Ｏ１と接続される端子は、平滑部１６Ｂの第１出力端子１６Ｂ１と接続される。また、当該場合、平滑部１６Ｂの出力端子間には、第７コンデンサＣ７が接続される。
【０１２２】
また、図５に示した平滑部１６Ｂでは、第３インダクタＬ３及び第４インダクタＬ４のそれぞれが接続されている位置が、図５に示した位置と異なる位置であってもよい。
【０１２３】
例えば、第４インダクタＬ４は、第１出力端子１５Ｏ１に代えて、第２出力端子１５Ｏ２と接続される構成であってもよい。そして、第３インダクタＬ３は、第４インダクタＬ４が有する端子のうち第２出力端子１５Ｏ２と接続されない端子と接続される構成であってもよい。この場合、第６コンデンサＣ６は、第４インダクタＬ４が有する端子のうち第２整流部１５の第２出力端子１５Ｏ２と接続されない端子と、第２整流部１５の第１出力端子１５Ｏ１との間に接続される。また、当該場合、第６コンデンサＣ６が有する端子のうち第２整流部１５の第１出力端子１５Ｏ１と接続される端子には、平滑部１６Ｂの第１出力端子１６ＢＯ１が接続される。また、当該場合、第３インダクタＬ３が有する端子のうち第６コンデンサＣ６と接続されない端子には、平滑部１６Ｂの第２出力端子１６ＢＯ２が接続される。また、当該場合、平滑部１６Ｂの出力端子間には、第７コンデンサＣ７が接続される。
【０１２４】
＜実施形態の変形例３＞
以下、図６を参照し、実施形態の変形例３について説明する。なお、実施形態の変形例３では、実施形態と同様な構成部に対して同じ符号を付して説明を省略する。実施形態の変形例３では、スイッチング電源装置１は、平滑部１６に代えて、図６に示した平滑部１６Ｃを備える。図６は、実施形態の変形例３に係る平滑部１６Ｃの回路構成の一例を示す図である。
【０１２５】
平滑部１６Ｃは、第８コンデンサＣ８と、第９コンデンサＣ９と、第５インダクタＬ５と、第６インダクタＬ６を備える。
【０１２６】
第８コンデンサＣ８は、例えば、電解コンデンサである。なお、第８コンデンサＣ８は、電解コンデンサに代えて、他の種類のコンデンサであってもよい。
【０１２７】
第９コンデンサＣ９は、例えば、電解コンデンサである。なお、第９コンデンサＣ９は、電解コンデンサに代えて、他の種類のコンデンサであってもよい。
【０１２８】
第８コンデンサＣ８は、第２整流部１５の出力端子間に接続されている。第８コンデンサＣ８が有する端子のうち第２整流部１５の第１出力端子１５Ｏ１と接続される端子には、第５インダクタＬ５が接続されている。第８コンデンサＣ８が有する端子のうち第２整流部１５の第２出力端子１５Ｏ２と接続される端子には、第６インダクタＬ６が接続されている。第５インダクタＬ５が有する端子のうち第８コンデンサＣ８と接続されない端子には、平滑部１６Ｃが有する第１出力端子１６ＣＯ１が接続されている。第６インダクタＬ６が有する端子のうち第８コンデンサＣ８と接続されない端子には、平滑部１６Ｃが有する第２出力端子１６ＣＯ２が接続されている。平滑部１６Ｃの出力端子間には、第９コンデンサＣ９が接続されている。
【０１２９】
ここで、図６に示した例では、伝送路ＥＬは、整流素子間の伝送路と、第８コンデンサＣ８が有する端子のうち第２整流部１５の第１出力端子１５Ｏ１と接続されている方の端子との間に接続されている。すなわち、当該例では、第２コンデンサＣ２は、整流素子間の伝送路と、第８コンデンサＣ８が有する端子のうち第２整流部１５の第１出力端子１５Ｏ１と接続されている方の端子との間に接続されている。また、当該例では、第２０コンデンサＣＦＧは、第８コンデンサＣ８が有する端子のうち第２整流部１５の第２出力端子１５Ｏ２と接続される端子と、図６において図示しないフレームグラウンドＦＧとの間に接続されている。
【０１３０】
以上のような回路構成により、実施形態の変形例３に係るスイッチング電源装置１では、トランスＴの第１コイルＣＬ１とトランスＴの第２コイルＣＬ２との間に発生するノイズ電流が、伝送路ＥＬ、第１整流部１３Ｃを順に介して第１コイルＣＬ１に流れる。その結果、当該スイッチング電源装置１は、当該ノイズ電流による伝導ノイズの発生を抑制することができる。
【０１３１】
なお、実施形態の変形例３に係るスイッチング電源装置１では、第２コンデンサＣ２は、整流素子間の伝送路と、第８コンデンサＣ８が有する端子のうち第２整流部１５の第２出力端子１５Ｏ２と接続されている方の端子との間に接続される構成であってもよい。また、当該スイッチング電源装置１では、第２コンデンサＣ２は、整流素子間の伝送路と、第９コンデンサＣ９が有する端子のうち第５インダクタＬ５と接続されている方の端子との間に接続される構成であってもよい。また、当該スイッチング電源装置１では、第２コンデンサＣ２は、整流素子間の伝送路と、第９コンデンサＣ９が有する端子のうち第６インダクタＬ６と接続されている方の端子との間に接続される構成であってもよい。
【０１３２】
ここで、第２コンデンサＣ２は、整流素子間の伝送路と、平滑部１６Ｃ以降の伝送路上の位置のうち平滑部１６Ｃによって平滑化された後の直流電圧が安定している位置との間に接続されることが望ましい。本実施形態では、平滑部１６Ｃ以降の伝送路は、平滑部１６Ｃが有する２つの入力端子よりも後段における伝送路のことである。第８コンデンサＣ８の両端子と第９コンデンサＣ９の両端子との４つの端子のうちのいずれか１つの端子は、平滑部１６Ｃ以降の伝送路上の位置のうち平滑部１６Ｃによって平滑化された後の直流電圧が安定している位置の一例である。
【０１３３】
ただし、平滑部１６Ｃにおいて、伝送路ＥＬが接続される位置は、第２コイルＣＬ２に近い方が望ましい。これは、経験上、前述のノイズ電流による伝導ノイズの発生が、より抑制されるためである。このため、図６に示した例では、伝送路ＥＬは、平滑部１６Ｃにおいて、第８コンデンサＣ８が有する端子のうち第２整流部１５の第１出力端子１５Ｏ１と接続されている方の端子に接続されている。
【０１３４】
＜実施形態の変形例４＞
以下、実施形態の変形例４について説明する。なお、実施形態の変形例４では、実施形態と同様な構成部に対して同じ符号を付して説明を省略する。実施形態の変形例４では、スイッチング電源装置１は、第１整流素子ＲＣ１に代えて、第１整流素子ＲＣ１Ａを備える。また、実施形態の変形例４では、スイッチング電源装置１は、第２整流素子ＲＣ２に代えて、第２整流素子ＲＣ２Ａを備える。
【０１３５】
第１整流素子ＲＣ１Ａは、ダイオードである。
また、第２整流素子ＲＣ２Ａは、ダイオードである。
【０１３６】
実施形態の変形例４に係るスイッチング電源装置１では、第１整流素子ＲＣ１Ａのアノードは、第２整流素子ＲＣ２Ａのカソードと接続される。また、第１整流素子ＲＣ１Ａのカソードは、第１スイッチング素子Ｓ１のドレイン端子と、第１コンデンサＣ１の第１端子Ｃ１Ｉ１との間を接続する伝送路と接続されている。また、第２整流素子ＲＣ２Ａのアノードは、第２スイッチング素子Ｓ２のソース端子と、第２コンデンサＣ２の第２端子Ｃ１Ｉ２との間を接続する伝送路と接続されている。
【０１３７】
このように、スイッチング電源装置１では、第１整流素子ＲＣ１に代えて第１整流素子ＲＣ１Ａを備えるとともに、第２整流素子ＲＣ２に代えて第２整流素子ＲＣ２Ａを備える場合であっても、トランスＴの第１コイルＣＬ１とトランスＴの第２コイルＣＬ２との間に発生するノイズ電流が、伝送路ＥＬ、第１整流部１３Ｃを順に介して第１コイルＣＬ１に流れる。その結果、スイッチング電源装置１は、当該ノイズ電流に起因する伝導ノイズの発生を抑制することができる。
【０１３８】
なお、上記において説明した実施形態に係るスイッチング電源装置１は、実施形態の変形例１〜３のそれぞれに係るスイッチング電源装置１と比べて、回路構成が簡単である。このため、実施形態に係るスイッチング電源装置１は、実施形態の変形例１〜３のそれぞれに係るスイッチング電源装置１と比べて、製造コストの増大を抑制することができる。
【０１３９】
以上のように、実施形態に係るスイッチング電源装置は、負荷に接続され、負荷に直流電圧を供給するスイッチング電源装置であって、交流電圧が入力される交流電圧入力部と、交流電圧入力部とフレームグラウンドとのそれぞれと接続され、交流電圧入力部から交流電圧が入力されるフィルタと、フィルタを介して交流電圧入力部の第１出力端子と電気的に接続される第１インダクタと、第１スイッチング素子と第２スイッチング素子とを有し、第１スイッチング素子と第２スイッチング素子とが直列に接続され、第１スイッチング素子と第２スイッチング素子との間を接続する伝送路に、第１インダクタが有する２つの端子のうち交流電圧入力部の第１出力端子と電気的に接続されていない方の端子が接続されるスイッチング部と、第１整流素子と第２整流素子とを有し、第１整流素子と第２整流素子とが直列に接続され、第１整流素子と第２整流素子との間を接続する伝送路にフィルタを介して交流電圧入力部の第２出力端子が電気的に接続され、スイッチング部と並列に接続される第１整流部と、第１整流部と並列に接続される第１コンデンサと、１次側のコイルと、２次側のコイルとを備えたトランスを有し、第１コンデンサが入力端子間に接続されるインバータと、２次側のコイルと接続される入力端子を有する第２整流部と、第２整流部の出力端子間に接続される平滑部と、第１スイッチング素子と、第２スイッチング素子と、インバータが有するスイッチング素子とのスイッチング制御を行う制御部と、第１整流素子と第２整流素子との間を接続する伝送路と、平滑部との間に接続される第２コンデンサと、平滑部とフレームグラウンドとの間に接続される第２０コンデンサと、を備える。これにより、スイッチング電源装置は、トランスの１次側のコイルと２次側のコイルとの間に発生するノイズ電流による伝導ノイズの発生を抑制することができる。
【０１４０】
また、スイッチング電源装置では、平滑部は、第２整流部の出力端子間に接続される第３コンデンサを備え、第２コンデンサは、第１整流素子と第２整流素子との間を接続する伝送路と、第３コンデンサの両端のうちのいずれか一方の端子との間に接続される、構成が用いられてもよい。
【０１４１】
また、スイッチング電源装置では、平滑部は、第２整流部の出力端子間に接続される第４コンデンサと、第４コンデンサが有する端子のうち第２整流部の第１出力端子と接続される端子に接続される第２インダクタと、第２インダクタが有する端子のうち第４コンデンサと接続されない端子に接続される平滑部の第１出力端子と、第４コンデンサが有する端子のうち第２整流部の第２出力端子と接続される端子に接続される平滑部の第２出力端子と、平滑部の出力端子間に接続される第５コンデンサと、を備え、第２コンデンサは、第１整流素子と第２整流素子との間を接続する伝送路と、第４コンデンサの両端子と第５コンデンサの両端子との４つの端子のうちのいずれか１つの端子との間に接続される、構成が用いられてもよい。
【０１４２】
また、スイッチング電源装置では、平滑部は、第２整流部の出力端子間に接続される第４コンデンサと、第４コンデンサが有する端子のうち第２整流部の第２出力端子と接続される端子に接続される第２インダクタと、第４コンデンサが有する端子のうち第２整流部の第１出力端子と接続される端子に接続される平滑部の第１出力端子と、第２インダクタが有する端子のうち第４コンデンサと接続されない端子に接続される平滑部の第２出力端子と、平滑部の出力端子間に接続される第５コンデンサと、を備え、第２コンデンサは、第１整流素子と第２整流素子との間を接続する伝送路と、第４コンデンサの両端子と第５コンデンサの両端子との４つの端子のうちのいずれか１つの端子との間に接続される、構成が用いられてもよい。
【０１４３】
また、スイッチング電源装置では、平滑部は、第２整流部の第１出力端子に接続される第４インダクタと、第４インダクタが有する端子のうち第２整流部の第１出力端子と接続されない端子と、第２整流部の第２出力端子との間に接続される第６コンデンサと、第６コンデンサが有する端子のうち第４インダクタと接続される端子に接続される第３インダクタと、第３インダクタが有する端子のうち第６コンデンサと接続されない端子に接続される平滑部の第１出力端子と、第６コンデンサが有する端子のうち第２整流部の第２出力端子と接続される端子に接続される平滑部の第２出力端子と、平滑部の出力端子間に接続される第７コンデンサと、を備え、第２コンデンサは、第１整流素子と第２整流素子との間を接続する伝送路と、第６コンデンサの両端子と第７コンデンサの両端子との４つの端子のうちのいずれか１つの端子との間に接続される、構成が用いられてもよい。
【０１４４】
また、スイッチング電源装置では、平滑部は、第２整流部の第２出力端子に接続される第４インダクタと、第４インダクタが有する端子のうち第２整流部の第２出力端子と接続されない端子と、第２整流部の第１出力端子との間に接続される第６コンデンサと、第６コンデンサが有する端子のうち第２整流部の第１出力端子に接続される端子に接続される第３インダクタと、第３インダクタが有する端子のうち第６コンデンサと接続されない端子に接続される平滑部の第１出力端子と、第６コンデンサが有する端子のうち第４インダクタと接続される端子に接続される平滑部の第２出力端子と、平滑部の出力端子間に接続される第７コンデンサと、を備え、第２コンデンサは、第１整流素子と第２整流素子との間を接続する伝送路と、第６コンデンサの両端子と第７コンデンサの両端子との４つの端子のうちのいずれか１つの端子との間に接続される、構成が用いられてもよい。
【０１４５】
また、スイッチング電源装置では、平滑部は、第２整流部の第１出力端子に接続される第４インダクタと、第４インダクタが有する端子のうち第２整流部の第１出力端子と接続されない端子と、第２整流部の第２出力端子との間に接続される第６コンデンサと、第６コンデンサが有する端子のうち第２整流部の第２出力端子と接続される端子に接続される第３インダクタと、第６コンデンサが有する端子のうち第４インダクタと接続される端子に接続される平滑部の第１出力端子と、第３インダクタが有する端子のうち第６コンデンサと接続されない端子に接続される平滑部の第２出力端子と、平滑部の出力端子間に接続される第７コンデンサと、を備え、第２コンデンサは、第１整流素子と第２整流素子との間を接続する伝送路と、第６コンデンサの両端子と第７コンデンサの両端子との４つの端子のうちのいずれか１つの端子との間に接続される、構成が用いられてもよい。
【０１４６】
また、スイッチング電源装置では、平滑部は、第２整流部の第２出力端子に接続される第４インダクタと、第４インダクタが有する端子のうち第２整流部の第２出力端子と接続されない端子と、第２整流部の第１出力端子との間に接続される第６コンデンサと、第６コンデンサが有する端子のうち第４インダクタと接続される端子に接続される第３インダクタと、第６コンデンサが有する端子のうち第２整流部の第１出力端子と接続される端子に接続される平滑部の第１出力端子と、第３インダクタが有する端子のうち第６コンデンサと接続されない端子に接続される平滑部の第２出力端子と、平滑部の出力端子間に接続される第７コンデンサと、を備え、第２コンデンサは、第１整流素子と第２整流素子との間を接続する伝送路と、第６コンデンサの両端子と第７コンデンサの両端子との４つの端子のうちのいずれか１つの端子との間に接続される、構成が用いられてもよい。
【０１４７】
また、スイッチング電源装置では、平滑部は、第２整流部の出力端子間に接続される第８コンデンサと、第８コンデンサが有する端子のうち第２整流部の第１出力端子と接続される端子に接続される第５インダクタと、第８コンデンサが有する端子のうち第２整流部の第２出力端子と接続される端子に接続される第６インダクタと、第５インダクタが有する端子のうち第８コンデンサと接続されない端子に接続される平滑部の第１出力端子と、第６インダクタが有する端子のうち第８コンデンサと接続されない端子に接続される平滑部の第２出力端子と、平滑部の出力端子間に接続される第９コンデンサと、を備え、第２コンデンサは、第１整流素子と第２整流素子との間を接続する伝送路と、第８コンデンサの両端子と第９コンデンサの両端子との４つの端子のうちのいずれか１つの端子との間に接続される、構成が用いられてもよい。
【０１４８】
また、スイッチング電源装置では、第１整流素子及び第２整流素子はスイッチング素子であり、制御部は、第１スイッチング素子と、第２スイッチング素子と、インバータが有するスイッチング素子とのスイッチング制御を行うとともに、第１整流素子と第２整流素子とのスイッチング制御を行う、構成が用いられてもよい。
【０１４９】
以上、この発明の実施形態を、図面を参照して詳述してきたが、具体的な構成はこの実施形態に限られるものではなく、この発明の要旨を逸脱しない限り、変更、置換、削除等されてもよい。
【符号の説明】
【０１５０】
１…スイッチング電源装置、１１…交流電圧入力部、１３…力率改善回路、１３Ａ…第１インダクタ、１３Ｂ…スイッチング部、１３Ｃ…第１整流部、１４…インバータ、１４Ａ、１４Ｂ…コンデンサ、１４Ｃ、１４Ｄ…スイッチング素子、１５…第２整流部、１６、１６Ａ、１６Ｂ、１６Ｃ…平滑部、１７…制御部、１８…フィルタ、１８Ｃ１、１８Ｃ２…コイル、１８Ｌ１…コモンモードチョークコイル、１８Ｘ１…コンデンサ、１８Ｘ２…第１０コンデンサ、１８Ｙ１…第１１コンデンサ、１８Ｙ２…第１２コンデンサ、Ｃ１…第１コンデンサ、Ｃ２…第２コンデンサ、Ｃ３…第３コンデンサ、Ｃ４…第４コンデンサ、Ｃ５…第５コンデンサ、Ｃ６…第６コンデンサ、Ｃ７…第７コンデンサ、Ｃ８…第８コンデンサ、Ｃ９…第９コンデンサ、ＣＦＧ…第２０コンデンサ、ＣＬ１…第１コイル、ＣＬ２…第２コイル、ＣＬ２Ａ…第２Ａコイル、ＣＬ２Ｂ…第２Ｂコイル、Ｄ１、Ｄ２…ダイオード、ＥＬ…伝送路、Ｌ２…第２インダクタ、Ｌ３…第３インダクタ、Ｌ４…第４インダクタ、Ｌ５…第５インダクタ、Ｌ６…第６インダクタ、ＬＤ…負荷、ＰＳ…交流電源、ＲＣ１…第１整流素子、ＲＣ１Ａ…第１整流素子、ＲＣ２…第２整流素子、ＲＣ２Ａ…第２整流素子、Ｓ１…第１スイッチング素子、Ｓ２…第２スイッチング素子、Ｔ…トランス
【図１】
2020054134.tif 000003
【図２】
2020054134.tif 000004
【図３】
2020054134.tif 000005
【図４】
2020054134.tif 000006
【図５】
2020054134.tif 000007
【図６】
2020054134.tif 000008